(57)【要約】【課題】  フードロック手段の操作部は、撮影機器へフードを装着するロック操作、及び、ロック解除操作をしやすくするため、フード外装より突出させていた。本体前方に配置した本体回転操作リングは、操作する時フードロック手段が邪魔にならないようフードから離して配置していたため、フードを装着した撮影機器の全長が長くなっていた。【解決手段】  フードロック解除ボタンを解除操作部と係合部で構成し、係合部は撮影機器本体の切り欠き部に係合してフードの取り外しを規制する。フードロック解除ボタンは、撮影光学系の有効光束に沿ったフード内斜面とフードの外観部からなる空間内で、係合部に対して、解除操作部を光軸方向、及び、光軸から離れる方向に構成し、フードを大型化することなくフード外観より突出しないで操作可能となり、本体回転リングとフードが近接して配置でき、レンズフードを装着した撮影機器本体の小型化を可能とした。【選択図】  図１
2018200369.tif 000002
【特許請求の範囲】
【請求項１】
撮影機器の撮影レンズ面を露出する位置と保護する位置に移動可能なバリアと、バリア開閉操作部と、撮影機器に装着するバヨネット構造と、正規装着位置から取り外し方向への移動を制限する制限手段を有するレンズフードにおいて、前記バヨネット構造はレンズフードに設けられ光軸中心円周方向に複数分割されたレンズフードフランジ部と撮影機器に設けられ光軸中心円周方向に複数分割された本体フランジ部で構成され、前記複数分割された本体フランジ部のうち、第１の本体フランジ部の光軸中心円周方向の幅内には切り欠き部を有し、前記制限手段は、前記切り欠き部と係合してレンズフードの取り外し方向への回転動作を制限する係合部と前記切り欠き部と前記係合部の係合解除操作を行う解除操作部からなり、撮影レンズの有効光束に沿ったレンズフード内斜面とレンズフードの外観部からなる空間内に、前記係合部に対して前記解除操作部が光軸方向、及び、光軸から離れる方向に配置されていることを特徴とするレンズフード固定構造。
【請求項２】
前記レンズフードは、前記制限手段により取り外し方向への回転動作を制限された状態で、前記バリア開閉操作部を操作して前記バリアを移動させるときに撮影光軸を中心とした円周接線方向に加わるバリア開閉操作力より大きい取り外し回転力を取り外し方向に加えると、前記制限手段の前記係合部が前記第１の本体フランジ部の前記切り欠き部から退避して、前記レンズフードは取り外し方向への回転動作の制限が解除されることを特徴とする請求項１に記載のレンズフード固定構造。
【請求項３】
前記制限手段は、前記レンズフードを前記撮影機器に装着した状態で光軸上水平位置近傍に設けられ、光軸方向に付勢されているとともに、前記制限手段とレンズフード内外の外観カバーには、前記解除操作部中心の内部直下に操作方向ガイド部、前記係合部の第１の本体フランジ部の前記切り欠き部側面方向への移動を規制する側面ガイド部、前記制限手段が光軸中心から離れる方向への移動を規制する外接ガイド部と光軸中心に近づく方向への移動を規制する内接ガイド部、前記レンズフード装着途中に、前記解除操作部を押し込み方向に移動させる第１の押し込みガイド部、前記レンズフード装着時に、前記取り外し回転力で回転させたときに前記解除操作部を押し込み方向に移動させる第２の押し込みガイド部を有することを特徴とする請求項１または２に記載のレンズフード固定構造。
【発明の詳細な説明】
【技術分野】
【０００１】
本発明は、撮影レンズ表面を保護する可動式のバリアを内臓したレンズフードを撮影機器へ装着する構造に関するものである。
【背景技術】
【０００２】
従来のレンズフードを固定する手段として、撮影機器に対してねじ式のフード固定操作部の締めこみで、取り外し可能状態から固定状態とするものが提案されている（例えば、特許文献１参照）。又、レンズフード内部で撮影機器に係合して固定状態とし、操作ボタンを押しこむことで係合を解除して、取り外し可能状態とするものが提案されている（例えば、特許文献２参照）
【先行技術文献】
【特許文献】
【０００３】
【特許文献１】特開２００４−２６４７４４号
【特許文献２】特開２００９−６３７７４号
【発明の概要】
【発明が解決しようとする課題】
【０００４】
しかしながら、上記特許文献１の従来例では、ねじ式のフード固定操作部を回しやすくするため、レンズフード外形より突出させていた。又、上記特許文献２の従来例でも同様に、レンズフードと撮影機器の係合を解除するための操作ボタンはレンズフード外形から突出した構造になっていた。これらねじ式のフード固定操作部、および、操作ボタンの周囲に凹部を設けるなどして、レンズフード外観部より突出させないようにすることは内部構造上困難であった。
【０００５】
このようなレンズフードが装着される撮影機器は先端部に設けられた回転操作リングを操作する時にねじ式のフード固定操作部、あるいは、操作ボタンが邪魔にならないよう回転操作リングとレンズフードを離して配置していた。そのため、レンズフードを装着した撮影機器の全長が長くなっていた。
【課題を解決するための手段】
【０００６】
本発明の第１の特徴とするところは、撮影機器の撮影レンズ面を露出する位置と保護する位置に移動可能なバリアと、バリア開閉操作部と、撮影機器に装着するバヨネット構造と、正規装着位置から取り外し方向への移動を制限する制限手段を有するレンズフードにおいて、前記バヨネット構造はレンズフードに設けられ光軸中心円周方向に複数分割されたレンズフードフランジ部と撮影機器に設けられ光軸中心円周方向に複数分割された本体フランジ部で構成され、前記複数分割された本体フランジ部のうち、第１の本体フランジ部の光軸中心円周方向の幅内には切り欠き部を有し、前記制限手段は、前記切り欠き部と係合してレンズフードの取り外し方向への回転動作を制限する係合部と前記切り欠き部と前記係合部の係合解除操作を行う解除操作部からなり、撮影レンズの有効光束に沿ったレンズフード内斜面とレンズフードの外観部からなる空間内に、前記係合部に対して前記解除操作部が光軸方向、及び、光軸から離れる方向に配置されていることを特徴としている。
【０００７】
また、本発明のその他の特徴とするところは、前記レンズフードは、前記制限手段により取り外し方向への回転動作を制限された状態で、前記バリア開閉操作部を操作して前記バリアを移動させるときに撮影光軸を中心とした円周接線方向に加わるバリア開閉操作力より大きい取り外し回転力を取り外し方向に加えると、前記制限手段の前記係合部が前記第１の本体フランジ部の前記切り欠き部から退避して、前記レンズフードは取り外し方向への回転動作の制限が解除されることを特徴としている。
【０００８】
また、本発明のその他の特徴とするところは、前記制限手段は、前記レンズフードを前記撮影機器に装着した状態で光軸上水平位置近傍に設けられ、光軸方向に付勢されているとともに、前記制限手段とレンズフード内外の外観カバーには、前記解除操作部中心の内部直下に操作方向ガイド部、前記係合部の第１の本体フランジ部の前記切り欠き部側面方向への移動を規制する側面ガイド部、前記制限手段が光軸中心から離れる方向への移動を規制する外接ガイド部と光軸中心に近づく方向への移動を規制する内接ガイド部、前記レンズフード装着途中に、前記解除操作部を押し込み方向に移動させる第１の押し込みガイド部、前記レンズフード装着時に、前記取り外し回転力で回転させたときに前記解除操作部を押し込み方向に移動させる第２の押し込みガイド部を有することを特徴としている。
【発明の効果】
【０００９】
以上説明したように、本発明によれば、撮影機器本体側の回転操作リングをレンズフード外観と接近可能とし、かつ、レンズフードを大型化することなく、固定、及び、固定から解除することを可能とした。これにより、回転操作リングの操作性を損なわずに撮影機器、及び、レンズフードの大型化を防ぐことが可能となった。
【図面の簡単な説明】
【００１０】
【図１】本発明実施例のレンズフードユニットの斜視図。
【図２】本発明実施例のレンズフードユニットを撮影機器に装着した状態を示す斜視図。
【図３】本発明実施例のレンズフードユニットの構成を示す展開斜視図。
【図４】本発明実施例のレンズフードユニットに内臓されているバリアの開閉動作簡易構成図。
【図５】本発明実施例の撮影機器の正面図。
【図６】本発明実施例のレンズフードユニットの撮影機器装着側の平面図。
【図７】本発明実施例のレンズフードユニットを撮影機器に装着する様子を示す平面図。
【図８】本発明実施例の撮影機器とレンズフードユニットの係合状態を説明する光軸と直交方向の断面図。
【図９】本発明実施例のフードロック解除ボタンと撮影機器との係合状態を示す側面図。
【図１０】本発明実施例のフードロック解除ボタンと撮影機器との装着過程を示す側面図。
【図１１】本発明実施例のフードロック解除ボタンとフード外カバー、及び、フード内カバーの詳細形状を示す斜視図。
【図１２】本発明実施例のレンズフードユニットのフードロック解除ボタンの当接関係を示す断面図。
【図１３】本発明実施例の撮影機器とレンズフードユニットの装着状態での光軸上の水平断面図。
【図１４】本発明実施例の撮影者が撮影機器１００を操作している状態を示す平面図。
【発明を実施するための形態】
【００１１】
＜実施例１＞
図１乃至図１４は本発明の実施例を示す図である。図１は、本発明実施例のレンズフードユニットの斜視図であり、図１（ａ）は正面側、図１（ｂ）は背面側からみた図である。１はレンズフードユニットで、撮影機器に対して着脱可能で撮影レンズの対物レンズ面を露出状態と保護状態に切換え可能なバリア２を内臓している。図１は、バリア２が閉じた状態である。３は、バリア開閉つまみであり、図１（ｂ）の図中、矢印Ｄ方向に移動させるとバリア２が開く。６はフードロック解除ボタンで、撮影機器にレンズフードユニット１を装着した状態から、取り外す時に操作する。
【００１２】
図２は、レンズフードユニット１を撮影機器１００に装着した状態を示す斜視図である。図中、バリア２は開いた状態であり、撮影機器１００の撮影レンズ１０１の対物レンズ面が露出している。撮影機器１００には、主要な部分として、回転操作リング１０２、開閉可能な画像表示部１０３、接眼画像表示部１０４、マイク１０５、ズーム操作部１０６などが配置されている。
【００１３】
図３は、レンズフードユニット１の構成を示す展開斜視図であり、図３（ａ）は正面側、図３（ｂ）は背面側からみた図である。
【００１４】
図４は、レンズフードユニット１に内臓されているバリア２の開閉動作構成図であり、必要な部位のみに簡略化されている。図４（ａ）（ｂ）はバリア２が閉じた状態で、図４（ａ）はバリア開閉つまみ３を正面視した図、図４（ｂ）はバリア開閉つまみ３の背面側から見た図である。図４（ｃ）（ｄ）はバリア２が開いた状態で、図４（ｂ）はバリア開閉つまみ３を正面視した図、図４（ｄ）はバリア開閉つまみ３の背面側から見た図である。図３、図４を使ってバリア２の開閉動作を説明する。
【００１５】
レンズフードユニット１は、フード外カバー１０とフード内カバー１１によって、バリア２の左右両端に設けられた開閉回転軸２ａが回転可能に挟み込まれた状態でねじ８によって固定されている。バリア２の回転軸方向のバリア開閉つまみ３側には連動軸２ｂが突出している。連動軸２ｂは、図４（ａ）（ｃ）に示されるように、バリア開閉つまみ３のＵ字部３ａに挿入されている。図４（ａ）のバリア２が閉じた状態から、バリア開閉つまみ３を図中Ｄ方向へ移動させると、バリア２は開閉回転軸２ａを中心に連動軸２ｂが反時計方向に回転させられ、図４（ｃ）まで移動し、バリア２が開状態となる。
【００１６】
図４（ｃ）のバリア２が開いた状態から、バリア開閉つまみ３を図中Ｄ方向の逆方向へ移動させると、Ｕ字部３ａによりバリア２は開閉回転軸２ａを中心に連動軸２ｂが時計方向に回転させられ、図４（ａ）まで移動し、バリア２が閉状態となる。この時、バリア開閉つまみ３の背面側では、図４（ｂ）のように、バリア開閉つまみ３の山状の突起３ｂの斜面とバリア開閉つまみ規制ばね４の弾性部突起４ａが接触している。このためバリア開閉つまみ規制ばね４に規制されて、バリア開閉つまみ３はＤ方向に容易に動かないようになっている。
【００１７】
図４（ｃ）のバリア２が開いた状態のバリア開閉つまみ３の背面側では、図４（ｄ）のように、バリア開閉つまみ３の山状の突起３ｂのもう一方の斜面とバリア開閉つまみ規制ばね４の弾性部突起４ａが接触している。このためバリア開閉つまみ規制ばね４に規制されて、バリア開閉つまみ３はＤ方向の逆方向へ容易に動かないようになっている。図４（ａ）（ｂ）から図４（ｃ）（ｄ）に移動させた時は、バリア開閉つまみ３の突起３ｂがバリア開閉つまみ規制ばね４をたわませて、弾性部突起４ａを乗り越えて移動する。
【００１８】
このバリア開閉つまみ規制ばね４をたわませる弾性力が、バリア開閉つまみ３の移動操作力となる。バリア開閉つまみ３の移動方向の一端には、ラックギア３ｃが設けられており、ダンパー５のダンパーギア５ａとかみ合っている。ダンパーギア５ａは、内部で粘性をもって回転可能となっており、バリア開閉つまみ３と連動されるバリア２の開閉操作の移動両端での衝撃緩和を行っている。ダンパー５は固定ねじ９によってフード内カバー１１に固定されている。バリア開閉つまみ３とバリア開閉つまみ規制ばね４は、不図示の固定手段によって、フード外カバー１０の内側にバリア開閉つまみ３が移動可能に装着されている。
【００１９】
６はフードロック解除ボタンで、フード内カバー１１のガイド軸１１ａとフードロック解除ボタン６のガイド穴６ａが係合している。フードロック解除ボタンばね７は、フード内カバー１１のばね装着軸１１ｂとフードロック解除ボタン６のばね挿入穴６ｂの間に装着されている。フードロック解除ボタン６はボタン操作部６ｃと係合部６ｄからなり、フードロック解除ボタン６のボタン操作部６ｃはレンズフードユニット１に組込み状態でフード外カバー１０の開口１０ａから露出するよう付勢されている。
【００２０】
図５は、レンズフードユニット１を取り外した状態の撮影レンズ１０１からみた撮影機器１００の正面図、図６は撮影機器１００への装着部側から見たレンズフードユニット１の平面図である。図７は、レンズフードユニット１を撮影機器１００に装着する過程を示す平面図で、図７（ａ）は組み込み初期位置装着直前の上面図、（ｂ）はレンズフードユニット１組み込み初期位置での正面図、（ｃ）は、レンズフードユニット１を正規位置に装着した状態での正面図である。図８は、撮影機器１００とレンズフードユニット１の係合状態を説明する光軸１０１ｂと直交方向の断面図である。
【００２１】
図８（ａ）は図７（ｂ）のレンズフードユニット１組み込み初期位置での断面図、（ｂ）は、図７（ｃ）のレンズフードユニット１を正規位置に装着した状態の断面図である。図５〜図８を使用して、レンズフードユニット１を撮影機器１００に装着する過程を説明する。
【００２２】
撮影機器１００の前方には、撮影レンズ１０１の光軸１０１ｂを中心に円周方向に第１本体フランジ部１００ａ、第２本体フランジ部１００ｂ、第３本体フランジ部１００ｃの３か所の本体フランジ部が設けられている。第１本体フランジ部１００ａは、間にフランジ切り欠き部１００ｄが設けられている。３か所の本体フランジ部の円周方向の長さはそれぞれ異なっており、レンズフードユニット１の撮影機器１００への装着部にも円周方向に、第１のフードフランジ部１０ｂ、第２のフードフランジ部１０ｃ、第３のフードフランジ部１０ｄが設けられている。
【００２３】
そして、３か所のフードフランジ部の間は、第１フードフランジ切り欠き部１０ｅ、第２フードフランジ切り欠き部１０ｆ、第３フードフランジ切り欠き部１０ｇが設けられている。３か所のフードフランジ部も円周方向の長さはそれぞれ異なっている。
【００２４】
図７（ａ）に示すように、撮影機器１００の本体指標１００ｅとレンズフードユニット１のフード外カバー１０に設けられたフード指標１０ｈを合せた位置で、レンズフードユニット１をＺ方向へ移動させることができる。Ｚ方向へ組み込み初期位置まで移動させた時、撮影機器１００とレンズフードユニット１の位相を正面から見ると図７（ｂ）のようになる。この状態からレンズフードユニット１をＷ方向に回転させるとレンズフードユニット１が撮影機器１００に対して正規の装着位置まで回転し、図７（ｃ）の状態となる。
【００２５】
図８（ａ）と（ｂ）の光軸１０１ｂと直交方向の断面図によって、図７（ｂ）（ｃ）の、撮影機器１００とレンズフードユニット１の係合を説明する。図７（ｂ）、図８（ａ）の状態は、第１本体フランジ部１００ａと第１フードフランジ切り欠き部１０ｅ、第２本体フランジ部１００ｂと第２フードフランジ切り欠き部１０ｆ、第３本体フランジ部１００ｃと第３フードフランジ切り欠き部１０ｇの組み合わせで３か所の本体フランジ部が３か所のフード切り欠き部内に挿入されている。３か所のフードフランジ部と３か所のフード切り欠き部は、円周方向の長さが異なっているため、上記組み合わせ以外の組み合わせとなる回転位相位置では、組み付けできなくなっている。
【００２６】
その後、図７（ｃ）の状態まで回転させた状態が、図８（ｂ）である。第１本体フランジ部１００ａと第１のフードフランジ部１０ｂ（破線部を含む）、第２本体フランジ部１００ｂと第２のフードフランジ部１０ｃ（破線部を含む）、第３本体フランジ部１００ｃと第３のフードフランジ部１０ｄ（破線部を含む）が前後方向（光軸方向）に重なって、レンズフードユニット１は撮影機器１００に対して、光軸方向に外れないようになっている。
【００２７】
そして、第１本体フランジ部１００ａの第１本体フランジ端１００ｆと第２本体フランジ部１００ｂの第２本体フランジ端１００ｇと第３本体フランジ部１００ｃの第３本体フランジ端１００ｈが第１のフードフランジ部１０ｂの第１フードフランジ側壁１０ｉ、第２のフードフランジ部１０ｃの第２フードフランジ側壁１０ｊ、第３のフードフランジ部１０ｄの第３フードフランジ側壁１０ｋと当接して、レンズフードユニット１が回転規制される。
【００２８】
これによりレンズフードユニット１は正規位置を越えてＷ方向に回転することはできない。そして、第１本体フランジ部１００ａのフランジ切り欠き部１００ｄにはフードロック解除ボタン６が係合し、レンズフードユニット１の取り外し方向であるＲＷ方向へ回転規制されている。
【００２９】
図９はレンズフードユニット１が撮影機器１００に対して正規位置に装着された状態でフード外カバー１０を非表示にしたフードロック解除ボタン６と第１本体フランジ部１００ａのフランジ切り欠き部１００ｄとの係合状態を示す側面図である。フードロック解除ボタン６は、フードロック解除ボタンばね７によってＶ方向に付勢されて係合部６ｄがフランジ切り欠き部１００ｄに係合している。フランジ切り欠き部１００ｄは第１切り欠き側壁１００ｉと傾斜ＡＡを有する第２切り欠き側壁１００ｊからなる。
【００３０】
フードロック解除ボタン６の係合部６ｄは第１切り欠き側壁１００ｉに近接する係合部斜面６ｅと第２切り欠き側壁１００ｊに近接する係合部側壁６ｆを有している。レンズフードユニット１は図８（ｂ）で説明したように正規位置を越えて回転しないため、第１切り欠き側壁１００ｉと係合部斜面６ｅは当接しないで隙間があいていてもかまわない。レンズフードユニット１が撮影機器１００に対して正規位置に装着された状態から、レンズフードユニット１を取り外す方向に回転させようとすると、第２切り欠き側壁１００ｊと係合部側壁６ｆが当接しているため、回転できない。フードロック解除ボタン６のボタン操作部６ｃをＶ方向の逆方向にフードロック解除ボタンばね７に逆らって押し込むと係合部６ｄがフランジ切り欠き部１００ｄから抜けて、レンズフードユニット１は撮影機器１００に対してＲＷ方向へ回転可能となる。
【００３１】
そして、フードロック解除ボタン６をＶ方向の逆方向への押し込み操作をしないで、レンズフードユニット１を取り外すために強力な力で無理やり回転させようとするとフードロック解除ボタン６の係合部側壁６ｆが傾斜ＡＡに沿ってバリア開閉つまみ規制ばね４の付勢力に逆らってＶ方向の逆方向に移動させられ、第２切り欠き側壁１００ｊからははずれた瞬間、レンズフードユニット１は撮影機器１００に対して回転し外れる。
【００３２】
こうすることで、フードロック解除ボタン６によりレンズフードユニット１がロックされていることに気が付かない使用者が、強引にレンズフードユニット１を撮影機器１００から外そうとして撮影機器１００、あるいは、レンズフードユニット１を破壊してしまう状態を防ぐことができる。レンズフードユニット１のバリア開閉操作を行うためのバリア開閉つまみ３の操作は、レンズフードユニット１を光軸中心に回転させる方向とおおよそ同一方向の力も発生させるため、前記レンズフードユニット１が無理やり外そうとする操作で外れる操作力は、少なくともバリア開閉つまみ３の操作力より大きく設定する。
【００３３】
これにより、バリア開閉つまみ３の操作によって、レンズフードユニット１が容易に外れないようにするとともに、レンズフードユニット１、あるいは、撮影機器１００が破壊しない。
【００３４】
図１０は、レンズフードユニット１が撮影機器１００に対して装着途中状態でフード外カバー１０を非表示にしたフードロック解除ボタン６と第１本体フランジ部１００ａとの装着過程を示す側面図である。図１０（ａ）のように、レンズフードユニット１を撮影機器１００に装着する回転途中で、フードロック解除ボタン６の係合部６ｄの係合部斜面６ｅが、第１本体フランジ部１００ａの第１本体フランジ先端部１００ｋに接触する。レンズフードユニット１をさらに回転させると、係合部斜面６ｅの角度が約４５°の緩斜面となっているため、係合部６ｄはフードロック解除ボタンばね７に逆らって比較的容易にフードロック解除ボタン６が押し込まれる方向に移動する。
【００３５】
さらにレンズフードユニット１を回転させていくと、フードロック解除ボタン６の係合部６ｄは第１本体フランジ部１００ａに乗り上げて、図１０（ｂ）の状態となる。らさらに、レンズフードユニット１を装着方向に回転させると、フードロック解除ボタン６の係合部６ｄは第１本体フランジ部１００ａのフランジ切り欠き部１００ｄにフードロック解除ボタンばね７の付勢力により落ち込み、レンズフードユニット１は、図９の正規位置に固定される。
【００３６】
図１１はフードロック解除ボタン６と、フード外カバー１０とフード内カバー１１の関係を示す詳細形状の斜視図で、図１１（ａ）（ｂ）（ｃ）は、斜視方向を変えた図である。図１２は、レンズフードユニット１とフードロック解除ボタン６の当接関係を示す断面図であり、図１２（ａ）は、断面位置を示す側面図、図１２（ｂ）は、図１２（ａ）の断面図である。
【００３７】
図中、フードロック解除ボタン６には、ボタン側面ガイドリブ６ｇが係合部６ｄの両側面に、ボタン外倒規制リブ６ｈが係合部６ｄと略同一幅で係合部６ｄのボタン操作部６ｃ側に、ボタン内倒防止リブ６ｉがフードロック解除ボタン６の最大幅と略同一幅で係合部６ｄの両側面のさらに外側に、設けられている。
【００３８】
これに対して、フード外カバー１０にはボタン外倒規制リブ６ｈと当接するフード外カバー外倒受けリブ１０ｍ、フード内カバー１１には、ボタン内倒防止リブ６ｉと当接するフード内カバー内倒受けリブ１１ｃ、ボタン側面ガイドリブ６ｇと当接するフード内カバーガイド壁１１ｄが設けられている。又、前述の、フードロック解除ボタン６のガイド穴６ａとフード内カバー１１のガイド軸１１ａとの係合を有しており、これらの当接関係を図１２の断面図が示している。このような部品間の構成によりフード外カバー１０とフード内カバー１１に対して、フードロック解除ボタン６は、各方向へのガタつきが規制されている。
【００３９】
このため撮影機器１００に対してレンズフードユニット１を装着状態でも、レンズフードユニット１は、第１本体フランジ部１００ａと係合部６ｄの当接状態とフードロック解除ボタン６のガタつき規制で、レンズフードユニット１装着時のガタつきを抑えて、装着状態での品位確保が行われている。
【００４０】
図１３は、撮影機器１００とレンズフードユニット１の装着状態での光軸上の水平断面図である。図１４は撮影者が撮影機器１００を操作している状態を示す平面図である。フード内カバー１１は撮影レンズ１０１の光路１０１ａをけらないように内壁１１ｅが形成されている。フードロック解除ボタン６の係合部６ｄとボタン操作部６ｃはこの内壁１１ｅに沿って光軸方向にＸ、光軸と直交方向にＹ、離れた斜め方向にずらして配置され、ボタン操作部６ｃがフード外カバー１０の外観面より突出しないで構成されている。これにより、図１５に示すように、撮影機器１００の回転操作リング１０２を操作する撮影者の指１０７が、フードロック解除ボタン６と接触しないため、回転操作リング１０２の操作性を邪魔することはない。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４２】
１  ・・・・  レンズフードユニット
２  ・・・・  バリア
３  ・・・・  バリア開閉つまみ
４  ・・・・  バリア開閉つまみ規制ばね
５  ・・・・  ダンパー
６  ・・・・  フードロック解除ボタン
７  ・・・・  フードロック解除ボタンばね
８  ・・・・  ねじ
１０  ・・・・  フード外カバー
１１  ・・・・  フード内カバー
１００  ・・・・  撮影機器
１０１  ・・・・  撮影レンズ
１０２  ・・・・  回転操作リング
【図１】
2018200369.tif 000003
【図２】
2018200369.tif 000004
【図３】
2018200369.tif 000005
【図４】
2018200369.tif 000006
【図５】
2018200369.tif 000007
【図６】
2018200369.tif 000008
【図７】
2018200369.tif 000009
【図８】
2018200369.tif 000010
【図９】
2018200369.tif 000011
【図１０】
2018200369.tif 000012
【図１１】
2018200369.tif 000013
【図１２】
2018200369.tif 000014
【図１３】
2018200369.tif 000015
【図１４】
2018200369.tif 000016